(57)【特許請求の範囲】
【請求項１】
ドアの戸（２）と接続されるように構成され、家具（３）に対して滑ることが可能である、第１の台車（４ａ）と、
前記第１の台車（４ａ）または前記家具（３）と接続される直径方向に分極した磁石（１９）と、
前記家具（３）または前記第１の台車（４ａ）と接続される少なくとも１つの鋼のプレート（２１ａ、２１ｂ）と、によって構成され、
前記第１の台車（４ａ）は、少なくとも１つの弾性的な圧縮性の要素（２４ａ、２４ｂ）と選択的に接触し、
前記圧縮性の要素は、開放時と閉鎖時、前記家具（３）に当たり、前記家具から突き出る迫台要素（２３、２７）と当たることを特徴とする家具（３）のスライディングドアの戸（２）のための、減衰または戻り装置（１）。
【請求項２】
前記第１の台車は、平行６面体の中央本体（５）によって構成され、
前記中央本体（５）の長手方向の中央平面において、直径方向に分極した磁石（１９）は、相互に同一の多角形の断面を有し、
前記分極した磁石（１９）は、連結された第１の半分の磁石（２０ａ）と第２の半分の磁石（２０ｂ）に分けられ、
前記第１の半分の磁石（２０ａ）と前記第２の半分の磁石（２０ｂ）は、反対の極性を有することを特徴とする請求項１に記載の装置。
【請求項３】
前記装置は、２つの鋼のプレート（２１ａ、２１ｂ）を備え、
前記２の鋼のプレートは、前記家具（３）の天板（１２）における中央領域において、２つの組の車輪（８、９）のためのスライディングガイドまたはレール（１０、１１）と接続され、
前記２つのプレート（２１ａ、２１ｂ）は、前記直径方向に分極した磁石（１９）と軸方向に一列に配置され、
前記２つのプレート（２１ａ、２１ｂ）は、前記磁石（１９）と反対または反対でない極性を備える追加的な磁石によって代用可能であることを特徴とする請求項１または２に記載の装置。
【請求項４】
前記２つのプレート（２１ａ、２１ｂ）の一方は、前記家具（３）の側面の壁（２２）の近くに配置され、
前記２つのプレート（２１ａ、２１ｂ）の他方は、ドアの戸が開いている状態に対応する領域の前記天板（１２）から突き出た第１の迫台要素（２３）の近くに配置されている請求項３に記載の装置。
【請求項５】
前記２つのプレート（２１ａ、２１ｂ）は、前記直径方向に分極した磁石（１９）の長さと等しいことを特徴とする請求項１乃至４のいずれか１項に記載の装置。
【請求項６】
前記第１の台車（４ａ）は、一対の弾性的な圧縮性の要素（２４ａ、２４ｂ）と選択的に接触し、
前記圧縮性の要素は、開放時と閉鎖時、前記家具（３）の側面の壁（２２）及び前記第１の迫台要素（２３）とそれぞれ当たることを特徴とする請求項４に記載の装置。
【請求項７】
前記弾性的な圧縮性の要素（２４ａ、２４ｂ）のそれぞれの１つは、台座（２５ａ、２５ｂ）の中に部分的に横たわるバネによって構成され、
前記台座は、前記直径方向に分極する磁石（１９）の上に横たわる領域の前記中央本体（５）の軸方向に設けられることを特徴とする請求項２を引用する請求項３を引用する請求項４を引用する請求項６に記載の装置。
【請求項８】
前記中央本体（５）から外部に突き出る前記弾性的な圧縮性の要素（２４ａ、２４ｂ）のそれぞれの１つの自由終端は、プラグ（２６ａ、２６ｂ）と接続され、
前記プラグは、前記第１の迫台要素（２３）、または前記家具（３）の側面の壁（２２）、または前記側面の壁（２２）に対して配置された第２の迫台要素（２７）と当たることを特徴とする請求項７に記載の装置。
【請求項９】
前記直径方向に分極した磁石（１９）は、引き出しの固定された部分または前記引き出しの移動可能な部分と接続され、
前記少なくとも１つの鋼のプレート（２１ａ、２１ｂ）は、前記引き出しの移動可能な部分または前記引き出しの固定された部分と接続されることを特徴とする請求項１乃至８のいずれか１項に記載の装置。
【発明の詳細な説明】
【技術分野】
【０００１】
本発明は、同一平面の閉めるものまたはそうでないもののような種類の、スライディングドアの戸、特に家具及びそのようなもののための、または、引き出しのための減衰または戻り装置に関連する。
【背景技術】
【０００２】
今日、通常の、ヒンジドア、に代わる物として、解決方法は、一般に衣装ダンス及び家具の両方に、また、ドアや窓枠にも、または、開くときに空間を小さくする必要がある閉じる素子のその他の応用品に適用できるスライディングドアが知られている。
【０００３】
通常、そのような種類のドアは、１以上のドアの戸によって構成され、それぞれの１つは、それぞれ、閉じられる一部の天井及び任意に床に適用される、上部ガイドまたは下部ガイドによって構成された、レールによって案内された回転手段と一体のブラケットを有している。
【０００４】
スライディングドアを閉じる必要があるときに、必要に応じて自由にされることができる、開かれた位置、または、ドアの戸が案内された閉じるものに従う必要があるときに、閉じられた位置、へそれを戻すための装置と一体のドアの戸に適合することが知られている。
【０００５】
従来のスライディングドアの戸に見られる問題は、ドアの戸が、完全に閉じたり、完全に開いたりしたときに、ドアの枠や、家具の側で、ドアの戸が、部分的に閉じられた、または、部分的に開かれたことを残すこと、または、急にしまったりすることの可能性がある事実によって構成される。
【０００６】
同様の見解が引き出しのために作られているということができる。
【０００７】
そのような欠点の部分的な解決は、減衰器と、バネと、上を向いたＬ字型ガイドの中を滑ることができる、案内ピンを備える、連結素子と結合する、歯の組の中に適応されることができる、同調素子と、が内側に設置された、容器を備えるドアの戸の動作を、支援し、案内するように構成された装置が開示された欧州特許１６５８７８５号から知られている。
【０００８】
装置は、一部の１つの端部の近くに配置される。
【０００９】
例えば、ドアの戸を開くとき、ある点で、装置は、安定で、固定された状態において、Ｌ字型ガイドを通って、ピンが位置にくるまで、減衰器を稼働する同調素子を引っかける。ドアの戸が閉じられる時、同調素子は、歯の組と相互作用し、それゆえ完全に閉じられた状態になるまで、ドアに優しくついて行く減衰器を稼働する。
【００１０】
そのような解決策は、しかしながら、いくつかの欠点に苦しむ。あらゆる突き刺さりや摩擦の発生が、装置の操作に打ち勝ち、そしてそれゆえドアの戸の正しい閉じや完璧な開きを妨げるため、装置が、事実、例えば、Ｌ字型ガイドとそこにあるピンの間に存在する遊びの素子へ大きな注意を払う一方、前もって、一緒に置かれなければならない複数の素子によって構成されるという点で、構成の観点から複雑である。
【００１１】
さらに、従来の戻り装置は、戻りバネがそのストローク動作において一定の力を持たないという事実と関連がある他の臨界に苦しむ。
【００１２】
これにより、力が弱くなるため、ストローク動作の最後の部分に沿って戻るところに問題が生じ、逆に、ドアが開放された時に、バネの力が強すぎるというドアを開ける最後の部分に問題がある。
【００１３】
これにより、ドアの動きにおいて、戻る機構への連結は、機械的手段を手段としてなされるという事実に組み合わされるので、操作においてやっかいな騒音を発生する。
【００１４】
準備位置において固定された物体にある位置への力を与える第１の付勢物体を備える強制的な動作のための機構を開示する、欧州特許２４５５５７１号も知られている。
【００１５】
打つ物体が、準備位置に保持された固定された物体によって、所定の位置で捕らえられ、そして、移動できる物体が、捕らえられることにより保持されたことから、解放されることによって決定された位置への固定された物体の相対的な動作により、動作の終わりの位置へ上げられる。
【００１６】
減衰機構は、強制的な動作の機構を構成する固定された物体に接続するための接触部分と、進む方向に接触部分を付勢する第２の物体を備える。
【００１７】
減衰機構は、決定された位置への固定された物体の動作に伴う接触部分の引き戻しへの抵抗を付与するために、構成されている。
【００１８】
そのような解決策は、前述した同じ欠点に苦しむ。
【００１９】
例えばドアのような、固定されたフレームと相互作用するスライダを手段として稼働されることが可能な、空気のブレーキ手段を備えるブレーキ装置を開示する、欧州特許２５５７２５９号が知られている。１つの実施形態として、磁気ヘッドへまっすぐに位置される、１つの羽根と一体の固定されたＬ字型輪郭に接触したときに、ロッドがピストンの柄から引き出されることができるように機能する、磁気ヘッドを先端部に設けたロッドを有するピストンがある。
【００２０】
そのような解決策は、可能なブレーキ、突き刺さりを受ける柄を有するブレーキ装置に必要とされる考慮される長さ、のような多くの欠点に苦しむ。さらに、空気機能の信頼性が乏しい。
【００２１】
最後に、磁気ヘッドの唯一の機能は、柄の引き出しのために、同軸に沿って配置された、固定された物体へ直接に連結されることである。
【００２２】
外側または内側のドアの上端部が固定された上を向いたＵの字の様な形状の第１のフレームと第２のフレームからなる台車を備える減衰ストッパを有する衣装ダンスのドアのためのスライディングガイドを開示する、欧州特許２３３０２６９号も知られている。
【００２３】
減衰ストッパは台車に結合する部分に設けられる２つの台座の外側に固定された空気またはガスの減衰器を備える。
【００２４】
そのような解決策は、さらに、占める空間を増加するような、およびガイドがほとんど使われないような、台車の横方向に配置されるガス減衰器の使用のような多くの欠点に苦しむ。
【００２５】
実用新案番号２７７０２２のイタリア特許、その側面に隣接する家具の１の終端の最も近くに連結され、ドアの戸に連結され、磁石の軸ガイドを設けられた支持体を有する、スライダと一時的に相互接続する磁力手段とを有する、少なくとも１つの衝撃吸収体によって構成され、スライダは、Ｃ字形状をし、磁石の軸ガイドに渡って滑ることができる、その戸の間にあり、磁石の軸ガイドの反対にも反対の極性を有する磁石がある、ことを特徴とするスライディングドアの戸、特に家具のための減衰または戻り装置も知られている。
【００２６】
そのような解決方法は、実用的であるけれども、スライダとガイドの使用は、構造の観点から複雑で、それゆえ、製造と組み立ての両方の観点から効果である。
【先行技術文献】
【特許文献】
【００２７】
【特許文献１】欧州特許１６５８７８５号
【特許文献２】欧州特許２４５５５７１号
【特許文献３】欧州特許２３３０２６９号
【発明の概要】
【発明が解決しようとする課題】
【００２８】
本発明の目的は、それゆえ、引用された公知技術の欠点を排除し、それゆえ、ドアやドアの戸が、家具の壁に対して急に閉まることを防ぐ一方で、単純な構造で、それの組み立てが速く、簡単にでき、突き刺さることから自由で、ドアやドアの戸を最適に開けたり閉めたりできる、スライディングドアまたはドアの戸、または引き出しに適用できる、装置を提供することによって、上述の問題を解決することである。
【００２９】
この目的の中において、本発明の別の目的は、家具の従来のドアの戸または従来のドアに簡単に適用される装置を提供することである。
【００３０】
本発明の他の目的は、様々な動作において摩擦や遊ぶ素子を含むことが可能である装置を提供することであり、それによって、ドアの戸の動作や滑りを最適化する。
【００３１】
他の目的は、その操作中に騒音のない発明を提供することである。
【課題を解決するための手段】
【００３２】
ここで以後よく明白になるこの目的、これら及び他の目的は、ドアの戸と連結し、家具に対して滑ることが可能である、第１の台車と、前記第１の台車と連結、または、前記家具と連結する、直径方向に分極した磁石と、前記家具、または、前記第１の台車と連結する、少なくとも、１つの鋼のプレートと、によって構成され、第１の台車は、家具と連結し、それから突き出る迫台素子と、始めと終わりに、隣接する少なくとも１つの弾性的な圧縮性の素子と選択的に接触することを特徴とする、スライディングドアの戸のため、特に家具のため、または、引き出しのための、減衰または戻り装置によって達成される。
【発明の効果】
【００３３】
さらなる、本発明の特徴及び利点は、添付した図の限定されない実施例を手段として描かれた、特に、排他的でない、実施形態の詳細な説明からさらに明白になる。
【図面の簡単な説明】
【００３４】
【図１】閉められたドアの戸のある家具に適用された装置の概観斜視図である。
【図２】開けられたドアの戸のある家具に適用された装置の概観斜視図である。
【図３】図１の線ＩＩＩ−ＩＩＩに沿って切り取られた断面図である。
【図４】図２の線ＩＶ−ＩＶに沿って切り取られた断面図である。
【図５】図３の線Ｖ−Ｖの沿って切り取られた断面図である。
【発明を実施するための形態】
【００３５】
記載された実施形態において、特定の実施例に関連して示される個々の特性は、実際には、他の実施形態に存在する、他の、異なる特性と置き換えるかもしれない。
【００３６】
さらに、注目すべきは、特許手続きの間にすでに知られて見つけられたものは、特許請求されておらず、主題から特許請求の放棄であると理解される。
【００３７】
図を参照すると、符号１は、一般的に、特に家具及び引き出し（図示せず）を含む家具３などに連結するタイプのスライディングドアの戸２のための減衰または戻り装置を指し示す。
【００３８】
装置１は、２つのピン６、７と横に連結し、中央本体の端部の最も近くに相互に平行に配置され、そして働いていない時車輪８、９の２つの組と回転可能に連結される、実質的に平行四辺形の、中央本体５によって構成される。
【００３９】
車輪は、ドアの戸２に隣接したその外周縁１３の最も近い、家具３の天板１２と連結し、そこから突き出ている適合したガイドまたはレール１０、１１上を滑る。
【００４０】
第１の台車４ａは、ドアの戸２の第１の側面の端部の最も近い、閉じられたドアの戸と一体となって、配置される。
【００４１】
中央本体５の上面１４において、Ｌ字形のプレート１６の第１の羽根１５は、ドアの戸２の面する内部の側面の表面１８に連結するそれの第２の羽根１７と連結する。
【００４２】
前の１つと同様であり、ドアの戸２の第２の側面の端部と最も近く配置された第２の台車４ｂがある。
【００４３】
ドアの戸２は、それゆえ、家具３によって支持され、家具３に対して滑ることができる。
【００４４】
第１の台車４ａの中央本体５の長辺方向の中央平面は、磁石１９が、直径方向に分極して連結している。それゆえ、磁気の観点から、断面において多角形、好ましくは長方形で、反対の極性を有し、連結し、相互に同一で、第１の半分の磁石２０ａと第２の半分の磁石２０ｂに分けられる。
【００４５】
例えば、第１の半分の磁石２０ａは、Ｎ極を有し、第２の半分の磁石２０ｂは、Ｓ極を有する。
【００４６】
装置は、さらに直径方向に分極した磁石１９と軸アライメントになるように、家具３の天板１２における中央領域において、ガイドまたはレール１０、１１と連結した、２つの鋼のプレート２１ａ、２１ｂによって構成される。
【００４７】
２つプレート２１ａ、２１ｂの１つは、家具３の側面の壁２２の最も近くに、他方は、ドアが開けられた状態に対応する領域において、天板１２から突き出た第１の迫台素子２３の最も近くに配置される。
【００４８】
プレート２１は、直径方向に分極した磁石１９の長さと実質的に等しい長さを有する。
【００４９】
２つのプレート２１ａ、２１ｂの使用に代わる物として、技術的に同等な解決方法として、さらなる磁石が、磁石１９の極性と反対または反対でなく使われることができる。
【００５０】
第１の台車４ａは選択的に、それぞれ、家具３の側面の壁２２及び第１の迫台素子２３と、始めと終わりに、隣接する弾性的な圧縮性の素子２４ａ、２４ｂの組と相互と接触する。
【００５１】
それぞれ弾性的な圧縮性の素子２４ａ、２４ｂの１つは、直径方向に分極した磁石１９の上に横たわる領域の前記中央本体の軸方向に設けられた台座２５ａ、２５ｂの中に部分的に横たわるバネによって構成される。
【００５２】
中央本体５から外部に突き出る弾性的な圧縮性の素子２４ａ、２４ｂのそれぞれの１つの自由終端は、第１の迫台素子２３または家具３の側面の壁２２または側面の壁２２に対して配置された第２の迫台素子２７と隣接するプラグ２６ａ、２６ｂと連結する。
【００５３】
操作において、直径方向に分極した磁石１９に連結する、ドアの戸を開けたり閉じたりする最後の段階において、弾性的な圧縮性の素子２４ａ、２４ｂは、家具３の側面の壁２２または第１または第２の迫台素子２３、２７と接触するために向かって進み、及びさらに直径方向に分極した磁石１９が、鋼のプレート２１ａ、２１ｂの１つと、重なることによって、影響を与え始める。
【００５４】
それゆえ、力は、発生され、ドアの戸を開けたり閉めたりする動作と対照をなし、それゆえ、動作は優しくなされる。
【００５５】
実際には、本発明は、スライディングドア、またはドアの戸を含む、スライディングドア、またはドアの戸へ適用することができ、得られた装置で、完全に目的及び目標を達成し、部分的に直径方向に分極した磁石１９を使うことによって、突き刺さりから、自由であり、それゆえ、それが家具の壁に急に閉まることを防ぐ一方で、ドアまたはドアの戸の最適で優しい閉めと開きを達成することができる、単純な構造で提供されることがわかる。
【００５６】
さらに、装置の重さと大きさとコストが含まれ、一方で同時に、ドアの戸または引き出しの動作と滑りを最適化するように、様々な動作において摩擦と遊びの素子を含むことが可能である。
【００５７】
明らかに、前に２つのプレート２１ａ、２１ｂによって影響を与えられる領域において、家具３と連結する、２つの直径方向に分極した磁石１９が使われるバージョンと、第１の台車４ａと連結する、単一の鋼のプレートが使われるバージョンも保護が要求される。
【００５８】
明らかに、本発明の個々の部品の大きさと同じように使われる材料は、特定の要求によってさらに関連があるかもしれない。
【００５９】
いくつかの異なる機能を達成する様々な手段は、確かに、示された実施形態においてのみ存在する必要がないだけでなく、示されていない、多くの実施形態において、存在していてもよい。
【００６０】
有利な、便利な、またはそのような上記に示された特性は、失われ、または同等な特性によって置き換えられてもよい。
【００６１】
この出願が優先権を主張する伊国実用新案出願ＭＩ２０１４Ｕ０００３６８（２０２０１４９０２３１１６５８）における開示は、ここで参照により包含される。
【００６２】
あらゆる請求項で言及された技術的特徴は、符号に従い、それらの符号は、請求項の理解を深めるためだけに含まれ、従って、そのような符号は、そのような符号によって実施例を手段として識別されるそれぞれの要素の解釈において、何ら限定する効果を有さない。
【図１】
0006783760.tif 000002
【図２】
0006783760.tif 000003
【図３】
0006783760.tif 000004
【図４】
0006783760.tif 000005
【図５】
0006783760.tif 000006